【手続補正書】
【提出日】令和3年3月12日(2021.3.12)
【手続補正１】
【補正対象書類名】特許請求の範囲
【補正対象項目名】全文
【補正方法】変更
【補正の内容】
【特許請求の範囲】
【請求項１】
隔離を実現するのに使用するための装置であって、本体を有する隔離テントを含み、前記本体は、
ａ）屋根部材と、
ｂ）使用時に支持表面と前記屋根部材との間に延び、それにより、周辺環境から実質的に隔離された内容積部を少なくとも部分的に画定する少なくとも１つの壁と、
ｃ）前記本体に結合された複数のコネクタであって、フレームに係合するように適合された複数のコネクタと、
ｄ）電気部品であって、前記複数のコネクタのうちの少なくとも１つに電気的に接続されて、前記コネクタを介して電気信号が前記電気部品へ転送されるまたは前記電気部品から転送されることを可能にする、電気部品と
を含む、装置。
【請求項２】
前記コネクタは、
ａ）前記本体を前記フレームに物理的に取り付けることと、
ｂ）前記フレームのフレーム・コネクタに物理的に結合することと
の少なくとも一方を行うように適合される、請求項１に記載の装置。
【請求項３】
前記コネクタとフレーム・コネクタが、
ａ）相補的プラグおよびソケット接続と、
ｂ）フックおよびアイと、
ｃ）摩擦嵌めと、
ｄ）締まり嵌めと、
ｅ）クリップ嵌めと
のうちの少なくとも１つを使用して機械的に結合される、請求項２に記載の装置。
【請求項４】
前記コネクタはピンを含み、前記フレーム・コネクタはソケットを含み、前記ピンは、前記フレームに前記フレーム・コネクタを結合するように、前記ソケットに挿入される、請求項２に記載の装置。
【請求項５】
前記ソケットは、前記ピンを固定するためのキャッチと、前記ピンを選択的に解放するための解放機構とを含む、請求項４に記載の装置。
【請求項６】
前記電気部品は、前記本体にわたって少なくとも部分的に延びる少なくとも１つの導体であり、前記導体は、前記複数のコネクタのうちの少なくとも１つに電気的に接続されて、電気信号が前記少なくとも１つのコネクタおよび前記少なくとも１つの導体を介して伝導されることを可能にする、請求項１から５のいずれか一項に記載の装置。
【請求項７】
前記少なくとも１つの導体は、以下のａ）〜ｃ）のうちの少なくとも１つを満たす、請求項６に記載の装置。
ａ）
ｉ）データ通信信号と、
ｉｉ）電力供給信号と
のうちの少なくとも１つを伝導するように適合される。
ｂ）
ｉ）前記本体に埋め込まれまたは取り付けられたワイヤと、
ｉｉ）前記本体の表面に設けられた銀メッキされたナイロン導体と、
ｉｉｉ）前記本体にプリント、縫い付け、埋め込み、または接着された導電性材料と、
ｉｖ）前記本体の表面に設けられた銀メッキされたナノワイヤ導体と
のうちの少なくとも１つを含む。
ｃ）前記壁と前記屋根との間の継ぎ目に少なくとも部分的に沿って延びる。
【請求項８】
以下のａ）およびｂ）のうちの少なくとも１つを満たす、請求項６または７に記載の装置。
ａ）前記コネクタは、前記フレームに装着されたフレーム・コネクタに電気的に結合するように適合され、前記フレーム・コネクタは、それぞれの電気部品に電気的に接続される。
ｂ）少なくとも１つのフレーム・コネクタが、電源に電気的に接続され、少なくとも１つのフレーム・コネクタが、前記フレームに装着された電気機器に電気的に接続され、したがって、前記電気機器は、前記少なくとも１つの導体を介して前記電源によって電力供給されることができる。
【請求項９】
前記電気部品は、前記内容積部を照明するための照明を含む、請求項１から８のいずれか一項に記載の装置。
【請求項１０】
以下のａ）およびｂ）のうちの少なくとも１つを満たす、請求項１から９のいずれか一項に記載の装置。
ａ）前記電気部品は、前記本体を検証するために使用される。
ｂ）前記電気部品は、前記本体を検証するために使用され、前記装置は、以下のｉ）〜ｉｖ）のうちの少なくとも１つを満たす。
ｉ）前記電気部品は、検証データを記憶するメモリを含み、前記検証データは、前記フレームに前記本体が連結されたときに処理デバイスによって読み出され、したがって、前記処理デバイスが前記本体を検証することを可能にする。
ｉｉ）前記メモリは、書き込み可能であり、したがって、前記検証データが使用中に更新されることを可能にする。
ｉｉｉ）前記検証データは、
（１）前記本体が現在のフレームと共に使用するのに適切な本体であることと、
（２）前記本体が有効期限を超えていないことと、
（３）前記本体が貯蔵寿命を超えていないことと、
（４）前記本体が定義された使用期間を超えていないことと、
（５）前記本体が以前に使用されていないことと
のうちの少なくとも１つを確認するために前記本体を検証するために使用される。
ｉｖ）前記検証データは、
（１）デジタル署名と、
（２）一意の参照番号と、
（３）暗号化されたデータと
のうちの少なくとも１つを含む。
【請求項１１】
前記本体は、前記内容積部内または前記内容積部外へ流れる空気を濾過するフィルタ部材を含み、
前記フィルタ部材は、前記フィルタ部材を前記フレームに物理的に取り付けるように適合されたコネクタを含む、請求項１から１０のいずれか一項に記載の装置。
【請求項１２】
前記フィルタ部材は、フィルタ本体を支持するフィルタ・フレームを含み、前記コネクタは、前記フレームにおけるフィルタ取付け部に係合する前記フィルタ・フレームによって形成され、それにより、前記フィルタ部材を前記フレームに取り付ける、請求項１１に記載の装置。
【請求項１３】
前記フィルタ部材は、前記フィルタ・フレームに装着された第１および第２のフィルタ部材接触部を含み、
前記第１および第２のフィルタ部材接触部は、前記フィルタ取付け部に取り付けられたフレーム接触部に係合し、前記フレーム接触部は、電気機器に電気的に接続され、それにより、前記電気部品を前記電気機器に電気的に接続する、請求項１２に記載の装置。
【請求項１４】
前記電気部品は、
ａ）空気濾過システムと、
ｂ）ドア・アクチュエータと
のうちの少なくとも１つに対する電力を伝導するように構成される、請求項１１から１３のいずれか一項に記載の装置。
【請求項１５】
前記本体は、以下のａ）およびｂ）のうちの少なくとも１つを満たす、請求項１１から１４のいずれか一項に記載の装置。
ａ）前記フィルタ部材の周りに少なくとも部分的に延びる接着材を含み、それにより、前記本体を空気濾過システムに取り付ける。
ｂ）空気濾過システムに密封係合するように適合される。
【請求項１６】
隔離を実現するのに使用するための装置であって、本体を含み、前記本体は、
ａ）屋根部材と、
ｂ）使用時に支持表面と前記屋根部材との間に延び、それにより、周辺環境から実質的に隔離された内容積部を少なくとも部分的に画定する少なくとも１つの壁と、
ｃ）機械可読検証データであって、前記検証データは、前記フレームに前記本体が連結されたときに処理デバイスによって読み出され、したがって、前記処理デバイスが前記本体を検証することを可能にする、機械可読検証データと
を有する、装置。
【請求項１７】
前記機械可読検証データは、
ａ）前記隔離テント上に提供される視覚的マーキングとして提示されること、ならびに
ｂ）前記隔離テントに取り付けられたメモリに記憶され、
ｉ）コネクタを介する有線接続と、
ｉｉ）フィルタ・ユニットと前記隔離テントまたはフィルタ部材のいずれかとの間の結合を介する有線接続と、
ｉｉｉ）無線接続と
のうちの少なくとも１つを介して読み取られること
の少なくとも一方がなされる、請求項１６に記載の装置。
【請求項１８】
本体を含む装置を使用して隔離を実現するのに使用するための方法であって、前記本体は、
ａ）屋根部材と、
ｂ）使用時に支持表面と前記屋根部材との間に延び、それにより、周辺環境から実質的に隔離された内容積部を少なくとも部分的に画定する少なくとも１つの壁と
を有し、
前記方法は、１つまたは複数の電子処理デバイスにおいて、
ｉ）フレームに前記本体が連結されたときに機械可読検証データを読み取ることと、
ｉｉ）前記検証データを使用して前記本体を検証することと、
ｉｉｉ）前記本体の成功した検証に応答して１つまたは複数の電子部品を選択的に作動させることと
を含む方法。